(57)【要約】【課題】音声演出を行うスピーカが破壊されても、付近の遊技者やパチンコホールのホール員に対して音声による異常報知をすることができ、不正行為の早期発見、未然防止を図ることができる遊技機を提供すること。【解決手段】この遊技機２は、遊技媒体３６を用いた遊技を実現する遊技装置体１０を備える遊技機であって、通電に基づき音声を発生させて音声演出を行う第１の音声発生部２１と、第１の音声発生部とは別個に設けられるとともに、通電に基づき音声を発生させて異常報知を行う第２の音声発生部と、を備える。【選択図】図２
2009082190.tif 000002
【特許請求の範囲】
【請求項１】
遊技媒体を用いた遊技を実現する遊技装置体を備える遊技機であって、
通電に基づき音声を発生させて音声演出を行う第１の音声発生部と、
該第１の音声発生部とは別個に設けられるとともに、通電に基づき音声を発生させて異常報知を行う第２の音声発生部と、を備える遊技機。
【請求項２】
前記第２の音声発生部が、前記遊技装置体の前方に開閉可能に保持された前面枠、前記遊技媒体を貯留可能な貯留皿が形成されて前記前面枠の下方に配置された皿枠、前記遊技装置体に向けて前記遊技媒体を発射すべく遊技者が操作可能に配置された発射ハンドル、又は該発射ハンドルを回転可能に保持する保持部のうち少なくともいずれか１に配置されている請求項１に記載の遊技機。
【請求項３】
前記皿枠又は前記保持部が中空構造とされ、
該中空内部に前記第２の音声発生部が配置されている請求項２に記載の遊技機。
【請求項４】
前記遊技装置体の後方に配置された制御基板と、
該制御基板を覆って、該制御基板への外部からのアクセスを困難にする蓋部材と、
該蓋部材が取り外された際の痕跡を残留させる痕跡残留機構をさらに有し、
前記蓋部材によって覆われた領域に前記第２の音声発生部が配置されている請求項１に記載の遊技機。
【請求項５】
前記第２の音声発生部に対する通電を検知する通電検知部と、
前記第２の音声発生部に対して定期的に送電する送電部と、
該送電時に前記通電検知がされない場合に前記第２音声発生部の故障を報知する故障報知部と、をさらに有する請求項１から請求項４のうちいずれか１項に記載の遊技機。
【発明の詳細な説明】
【技術分野】
【０００１】
本発明は、不正行為を音声報知する遊技機に係り、特に音声演出を行うスピーカが破壊されても不正行為を音声報知することができる遊技機に関する。
【背景技術】
【０００２】
パチンコ機においては、弾球された球が遊技領域（遊技盤面上又はその近傍に形成された領域であって、球の流下による遊技や演出を実現するための領域。）を流下して、その流下の過程で球が遊技領域内のゲージ（障害釘ともいう。）や羽根車に衝突しつつ転回して流下方向が変化する。その結果、遊技領域上に配置された各種入賞口に球が入賞すれば景品としての球が払い出され、一方いずれの入賞口にも入賞せずアウト口に球が流入すれば景品は払い出されない。遊技者は、弾球における自らの技量を発揮して、又は球の流下における偶然性を利用しつつ球の入賞及び景品の払出しを期待し、遊技を楽しむのである。
【０００３】
パチンコ機には、様々な装飾部材も取り付けられており、遊技の演出をより一層効果的なものとしている。例えば、パチンコ機の前面側や遊技盤面上には、多種多様な電飾（電球やＬＥＤ等。）や可動物が配置され、遊技の状況に応じて様々に動作したり点灯や点滅をしたりしている。また、パチンコ機の前面側にはスピーカも配置され、遊技の状況に応じて様々な音声（効果音や音楽を含む。）を発生して、遊技を盛り上げるための音声演出を行っている。
【０００４】
このパチンコ機においては、従来から遊技者による不正行為が問題となっている。例えば筐体枠の隙間から内部にピアノ線等の異物を侵入させ、内部の部品や機器を損壊したり、景品としての球を不正に入手したりすることが行われている。その他にも、不正に磁場や電波を発生させてパチンコ機内部のセンサや電子機器に悪影響を与えて景品としての球を多量に入手することも行われている。
【０００５】
これらの不正行為を防止するため、パチンコ機には様々な不正検出手段が設けられている。例えば、磁石や電波発信機を用いて行う不正を検知するものとして特許文献１に開示のものがある。
【０００６】
【特許文献１】特開２００２−２７３０１７号公報
【発明の開示】
【発明が解決しようとする課題】
【０００７】
このような不正検出手段が不正行為者の不正行為を検出すると、音声演出を行っているスピーカが警告音を発し、付近の遊技者やパチンコホールのホール員に報知されるようになっている。スピーカからの警告音発生により不正行為の早期発見を可能とし、ひいては不正行為を未然に防止しているのである。しかし、近年ではスピーカを予め破壊して、警告音の発生を不可能にしてから不正行為を行い、不正行為が発見されるのを防いだり、不正行為の発見を遅れさせてその間に景品を不正に獲得したりすることが行われるようになっている。
【０００８】
本発明は、上記の事情に鑑みて為されたもので、音声演出を行うスピーカが破壊されても、付近の遊技者やパチンコホールのホール員に対して音声による不正報知をすることができ、不正行為の早期発見、未然防止を図ることができる遊技機を提供することを例示的課題とする。
【課題を解決するための手段】
【０００９】
上記の課題を解決するために、本発明の例示的側面としての遊技機は、遊技媒体を用いた遊技を実現する遊技装置体を備える遊技機であって、通電に基づき音声を発生させて音声演出を行う第１の音声発生部と、第１の音声発生部とは別個に設けられるとともに、通電に基づき音声を発生させて異常報知を行う第２の音声発生部と、を備える。
【００１０】
異常報知を行う第２の音声発生部が、音声演出を行う第１の音声発生部とは別個に設けられているので、第１の音声発生部が破壊されても第２の音声発生部によって異常報知をすることができる。したがって、第１の音声発生部が破壊されたり故障したりしても、異常の早期発見が可能となり、不正行為の未然防止を図ることができる。
【００１１】
ここで、異常とは遊技機に何らかの不具合が発生している場合をいい、第１の音声発生部が故障した場合や破壊された場合の他にも、遊技機自体が故障した場合や、遊技機に対して何らかの不正行為がなされた場合等が含まれる。
【００１２】
遊技装置体の前方に開閉可能に保持された前面枠、遊技媒体を貯留可能な貯留皿が形成されて前面枠の下方に配置された皿枠、遊技装置体に向けて遊技媒体を発射すべく遊技者が操作可能に配置された発射ハンドル、又は発射ハンドルを回転可能に保持する保持部のいずれか２のうち少なくともいずれか１に配置されていてもよい。前面枠、皿枠、発射ハンドル又は保持部に第２の音声発生部が配置されるので、遊技者の近くから異常報知のための音声を発生させることができるようになる。したがって、第２の音声発生部が前面枠、皿枠、発射ハンドル、又は保持部のいずれか１に配置されていることで、遊技者やホール員に対して異常報知のための音声を確実に伝えることができるようになる。
【００１３】
皿枠又は保持部が中空構造とされ、その中空内部に第２の音声発生部が配置されていてもよい。
【００１４】
中空構造とされた皿枠や保持部の内部に第２の音声発生部が配置されているため、遊技者に第２の音声発生部が発見されにくくなり、発見された場合であっても遊技者が第２の音声発生部にアクセス（接触）しにくいため、第２の音声発生部が破壊されにくくなる。したがって、第２の音声発生部を破壊してから不正行為を行うことが難しくなるため、第２の音声発生部の存在を不正防止のための抑止力とすることができ、不正行為の未然防止効果を一層高めることができる。
【００１５】
遊技装置体の後方に配置された制御基板と、制御基板を覆って、制御基板への外部からのアクセスを困難にする蓋部材と、蓋部材が取り外された際の痕跡を残留させる痕跡残留機構をさらに有し、蓋部材によって覆われた領域に第２の音声発生部が配置されていてもよい。
【００１６】
制御基板への外部からのアクセスを困難にする蓋部材に覆われた領域に第２の音声発生部が配置されているので、第２の音声発生部に外部からアクセスしにくくなる。したがて、第２の音声発生部が破壊されにくくなる。したがって、第２の音声発生部の存在が不正防止のための抑止力となり、不正行為の未然防止効果を一層高めることができる。
【００１７】
また、制御基板には第１の音声発生手段等に音声演出をさせるための制御ソフトが格納されたＲＯＭ等が搭載されている場合もある。この制御ソフトによって第２の音声発生部に音声を発生させることもできる。したがって、ＲＯＭが搭載された制御基板上に第２の音声発生部を配置すれば、制御ソフトによって第２の音声発生部に音声を発生させることができる。また、両者を接続する配線等も短縮又は省略することができ、製造が簡単化され、部品点数の削減、製造コストの抑制に寄与することができる。
【００１８】
ここで、痕跡残留機構とは、蓋部材が取り外された痕跡を残留させるためのものであって、蓋部材の取り外しを困難にするとともに、蓋部材が無理やり取り外された場合には、その痕跡を残して、制御基板の不正交換等を早期に発見することができるように設けられるものである。
【００１９】
第２の音声発生部に対する通電を検知する通電検知部と、第２の音声発生部に対して定期的に送電する送電部と、送電時に通電検知がされない場合に第２音声発生部の故障を報知する故障報知部と、をさらに有していてもよい。
【００２０】
第２の音声発生部に対する送電時に、通電検知がされない場合に故障が報知されるので、第２の音声発生部の故障等を早期に把握することができる。送電部からの送電時に通電検知がされない場合には、第２の音声発生部が断線等により故障している可能性がある。第２の音声発生部は異常報知を行うためのものであるので、通常時は遊技者やホール員が認識できるような音声を発生することが少なく、故障を把握しにくいが、定期的に送電部から送電されることで、早期に故障を把握することができる。したがって、第２の音声発生部が故障等により動作不能となった場合であっても、早期に復旧させることができ、遊技機に対して何らかの不正が行われた場合等に第２の音声発生部による異常報知をすることができないといった不具合を防止することができる。
【００２１】
本発明の更なる目的又はその他の特徴は、以下添付図面を参照して説明される好ましい実施の形態によって明らかにされるであろう。
【発明の効果】
【００２２】
本発明によれば、音声演出を行う第１の音声発生部とは別個に不正報知を行う第２の音声発生部を配置することで、第１の音声発生部が破壊されても、第２の音声発生部によって音声による異常報知を行うことができる。また、皿枠等の内部に第２の音声発生部を配置することで、第２の音声発生部の破壊を困難にし、不正行為に対する抑止力を発揮させることができる。
【発明を実施するための最良の形態】
【００２３】
［実施の形態］
以下、本発明の実施の形態について図面を用いて説明する。図１は、本発明の実施の形態に係る遊技機としてのパチンコ機２の外観を示す外観斜視図である。パチンコ機２は、筐体枠４、機枠６、皿枠８、遊技盤（遊技装置体）１０、前面ガラス（前面透明板）１８、装飾枠２０、を有している。
【００２４】
パチンコ機２は、組合せ式パチンコ機、封入循環式パチンコ機等を含む。また、遊技機としてはパチンコ機の他に、スロット機、ゲーム機、アーケードマシン等が概念できる。
【００２５】
筐体枠４は、このパチンコ機２を囲むための枠体であり、平面視略長方形に構成されている。材料としては、木材が用いられることが多いが、他に樹脂やアルミ等の金属が用いられることもある。筐体枠４は、パチンコ機２の上下面及び左右側面を囲い、前面（すなわち、遊技者側。）から見て左側面側には機枠６及び装飾枠２０を揺動支持するためのヒンジ部（揺動支持部）２２が設けられている。
【００２６】
機枠６は、遊技盤１０を保持するための枠体であり、その中央近傍に遊技盤１０を取り付けるための取付け開口が形成されている。取付け開口の周囲に遊技盤１０を着脱可能に取り付けるための取付け部を有し、機枠６は遊技盤１０の周囲を囲むように構成されている。その機枠６は、筐体枠４の前面側に配置されてヒンジ部２２において筐体枠４に揺動支持され、筐体枠４に対して前面開閉可能とされている。
【００２７】
機枠６は、樹脂又は金属によって形成され、その後面側には裏機構盤（図示せず。）が配置される。その裏機構盤には、入賞球を計数して排出処理する入賞球処理装置（図示せず。）、景品としての球を計数して払い出す景品球払出装置（図示せず。）等が配置されている。
【００２８】
機枠６には、球発射装置（図示せず。）も取り付けられている。球発射装置は、球供給装置によって送り出されて球発射位置に停止保持される球３６を遊技領域１０ｂの上部に向けて発射（弾球）するためのものである。球発射装置は、例えば球発射位置に送り出された球３６を遊技領域１０ｂに向けて弾球する発射杆、その発射杆を駆動して弾球往復動を行わせる発射モータ、発射杆を付勢して弾球のための力を発生させる発射バネ等を有してユニット構成されている。
【００２９】
皿枠８は、機枠６の前面側下方（後述する装飾枠２０の下方。）に配置され、ヒンジ部２２を介して筐体枠４に前面開閉可能に軸支された枠部材である。皿枠８は、上皿１４ａ、下皿１４ｂ、発射ハンドル４２を有して構成されている。
【００３０】
上皿１４ａは、球３６を球発射装置に導くべく貯留するためのもので、下皿１４ｂとともに遊技者の持ち球を貯留する機能を有する。上皿１４ａは、景品としてパチンコ機２から払い出された球３６を受け取る機能や、その球３６を、球供給装置を介して球発射装置に導くべく貯留する機能も有している。
【００３１】
上皿１４ａは、皿枠８の前面側に突出して、その上面が開放した形状で形成されており、遊技を行うために球３６をその上面から投入可能となっている。下皿１４ｂは、その上皿１４ａの下方に配置されている。遊技者が遊技を終了する場合には、上皿１４ａに貯留された球３６を球排出ボタン１４ｃによって下皿１４ｂへと排出することができるようになっている。
【００３２】
本実施の形態においては、上皿１４ａと下皿１４ｂとを別々に構成しているが、もちろん上皿１４ａと下皿１４ｂとが一体となって１つの球皿が構成されていてもよい。
【００３３】
発射ハンドル４２は、球発射装置による弾球強度を調整するためのハンドルであって、遊技者が手で操作するためのものである。例えば、パチンコ機２の前面下部右側に配置されて略円筒形状を呈しており、保持部４３によって回転可能に保持されている。遊技者は、発射ハンドル４２を手で保持しつつ、回転させることにより、球３６の発射強度を調整することができるようになっている。
【００３４】
図２は、皿枠８の横断面を示す断面図である。皿枠８は、内部が中空構造とされている。その中空内部にブザー（第２の音声発生部）４４が配置されている。ブザー４４は、通電に基づいて警告音（音声）を発生する機能を有する。図３に示すようにブザー４４には、送電部４６が接続されている。
【００３５】
送電部４６は、パチンコ機２に対する不正行為が検知された際に、ブザー４４に向けた送電を行うためのものである。送電部４６は、電波や磁石を用いた不正や、ピアノ線等の異物をパチンコ機２内部に侵入させる不正等を検知することができる公知の不正検知器から不正検知時に発信される報知信号を受信した際に送電を行うようになっている。
【００３６】
ブザー４４は、送電部４６からの送電に基づいて警告音（音声）を発生し、付近の遊技者やホール員に対して不正行為が行われていることを報知する。ブザー４４には、故障検知装置（故障報知部）４８及び電流検知装置（通電検知部）５０も接続されている。故障検知装置４８は、送電部４６とブザー４４との間の配線が断線したこと、つまりブザー４４の故障を検知して、不正検知時にブザー４４から警告音が発生されないという不具合を未然に防止するためのものである。
【００３７】
具体的には、故障検知装置４８は、送電部４６に対して定期的に送電信号を送信する。送電信号を受信した送電部４６は、ブザー４４に対して、警告音を発生させない程度の電流を送信する。
【００３８】
なお、送電部４６が、パチンコ機２の不具合や故障発生時にブザー４４に対して送電し、異常報知としての警告音を発生させるように構成してももちろん構わない。
【００３９】
電流検知装置５０は、送電部４６から送電された電流を検知すると、検知信号を故障検知装置４８に送信する。故障検知装置４８は、送電信号を送信した際に検知信号を受信できない場合には、断線による故障と判断して故障信号をパチンコ機２の外部に送信する（故障の報知。）。例えば、遊技機ホールに設置されて、多数のパチンコ機の遊技状況等を監視するためのホールコンピュータに向けて故障信号を送信してもよいし、パチンコ機島に設けられた警告灯を点灯させるために故障信号を送信してもよい。
【００４０】
遊技盤１０は、このパチンコ機２において、遊技媒体としての球３６の流下による遊技を実現するためのものであり、その表面の遊技盤面１０ａ上には遊技領域１０ｂが形成されている。遊技盤面１０ａには、略円形状に周囲を囲むようにレール飾り２４が取り付けられ、遊技領域１０ｂは、このレール飾り２４の内側に形成された内側面２４ａによって囲まれている。
【００４１】
その遊技領域１０ｂ内には多数のゲージ（図示せず。）、普通入賞口２６、始動入賞口２８、大入賞口３０、アウト口３２、その他の各種役物が配置されている。また、遊技領域１０ｂの略中央に画像表示装置３４が配置されている。なお、ゲージは遊技領域１０ｂを流下する球３６の流下方向を変化させるためのものであるが詳細は省略する。
【００４２】
普通入賞口２６は、遊技領域１０ｂの複数箇所に形成された入賞口であり、球３６が普通入賞口２６に入賞した際（所定条件の成立時。）に所定個数の球３６が景品として払い出されるようになっている。
【００４３】
始動入賞口２８は、遊技領域１０ｂの中央下方部に形成されている。本実施の形態においては、始動入賞口２８のさらに下方に大入賞口３０が形成されている。大入賞口３０のすぐ下方には、アウト口３２が形成されている。
【００４４】
始動入賞口２８は、遊技領域１０ｂの中央部下方に形成された入賞口である。球３６が始動入賞口２８に入賞すると、画像表示装置３４に表示されている変動用の図柄が、変動を開始するようになっている。また、始動入賞口２８に球３６が入賞した際（所定条件の成立時。）にも所定個数の球３６が景品として払い出される。
【００４５】
大入賞口３０は、球３６を受け入れやすい（入賞しやすい。）開状態と、球３６を受け入れにくい（入賞しにくい。）閉状態とに可変とされている。大入賞口３０の開閉制御は、例えば画像表示装置３４の表示態様に基づいて行われ、本実施の形態に係るパチンコ機２では、画像表示装置３４に特定の態様「７・７・７」が停止表示されると大入賞口３０が開状態とされ球３６を受け入れやすくなるように構成されている。大入賞口３０に球３６が入賞した際（所定条件の成立時。）にも所定個数の球３６が景品として払い出されるようになっている。
【００４６】
アウト口３２は、遊技領域１０ｂの中央最下端近傍に形成された開口であり、遊技領域１０ｂの最下端まで流下した球３６、すなわちいずれの入賞口２６，２８，３０にも入賞しなかった球３６を流入させるためのものである。アウト口３２に流入した球３６は、パチンコ機２の外部に排出されるようになっている。
【００４７】
球発射装置により球３６が遊技領域１０ｂ内の上部に向けて発射されると、球３６がゲージに衝突してその流下方向を変えつつ遊技領域１０ｂ内を流下するようになっている。その流下の途中で、あるものは普通入賞口２６に入賞して球の払出しの契機となり、あるものは始動入賞口２８に入賞して画像表示装置３４による図柄の変動開始の契機となり、また、あるものはいずれの入賞口２６，２８，３０にも入賞せずにアウト口３２からパチンコ機２の外部へと排出される。
【００４８】
画像表示装置３４は、変動用の図柄やその背景図柄を含めた画像を表示するために遊技領域１０ｂの略中央に設けられた装置である。本実施の形態では、画像表示装置３４は液晶表示部３４ａを有して構成され、この液晶表示部３４ａには変動用の図柄を含めた画像の他にも文字情報等を表示することもできる。
【００４９】
前面ガラス１８は、遊技盤１０に対して一定距離離間して配置された透明板である。前面ガラス１８は透明平板ガラスで形成され、遊技盤１０との間に球３６が流下する流下スペースを形成する機能、遊技者が前面ガラス１８を通して遊技盤１０を視認できるように視認性を確保する機能、遊技者が遊技盤１０に不正にアクセス（接触）できないように不正アクセスを防止する機能、を発揮する。
【００５０】
前面透明板としてはガラス素材の前面ガラス１８の他に、もちろん透明アクリル等の樹脂材料が使用されてもよい。また、本実施の形態においては、前面ガラス１８が装飾枠２０に保持されるが、前面ガラス１８が遊技盤１０の前面に取り付けられて、遊技盤１０とともに機枠６に保持されるように構成されていてもよい。
【００５１】
装飾枠２０は、遊技盤１０の前方に開閉可能に保持された枠体である。本実施の形態においては、装飾枠２０はヒンジ部２２において機枠６とともに揺動支持されている。
【００５２】
装飾枠２０は、スピーカユニット（第１の音声発生部）２１を有している。スピーカユニット２１は、通電に基づいて音声を発生するスピーカ部（図示せず。）と、装飾枠２０の表面に配置され、スピーカ部を保護するスピーカグリル部２１ａとを有して大略構成されている。
【００５３】
スピーカユニット２１は、図示しない音声制御部によって、遊技状況に合わせた音楽や効果音等を発生する音声演出を行う機能を有する。スピーカユニット２１は、スピーカ部から警告音等を発生して不正報知を行うこともできる。
【００５４】
スピーカグリル部２１ａには、スピーカ部から発生された音声を前方外部に効率よく伝達すべく、複数のスリット２１ｂが形成されている。パチンコ機２に対して不正行為を行おうとする者の中には、このスリット２１ｂを通してスピーカ部を破壊して、不正報知を行うことができないようにしようとする者もいる。
【００５５】
しかし、本実施の形態に係るパチンコ機２は、スピーカユニット２１の他に、警告音による不正報知を行うことができるブザー４４も有しているため、スピーカ部が破壊されても、ブザー４４による不正報知が可能であり、不正報知がなされないまま不正行為が行われるのを防止することができる。さらに、ブザー４４は、皿枠８の中空内部に配置されているため、容易に破壊することはできない。したがって、ブザー４４の存在が、不正行為を防止する抑止効果も発揮するのである。
【００５６】
また、皿枠８に対して、ブザー４４からの警告音が外部に効率よく伝達するようにスリット等を形成してもよい。この場合、スリットを通してブザー４４が視認できないような位置にスリットを形成することで、ブザー４４が破壊されにくいようにすることが好ましい。
【００５７】
なお、ブザー４４を皿枠８の表面に配置することも可能である。ブザー４４の存在を遊技者にはっきりと認識させることでき、不正抑止効果を発揮させることができる。また、皿枠８はパチンコ機２の前方に配置される部材であるため、その表面に配置されるブザー４４の位置も遊技者に近くなるため、ブザー４４から発せられる警告音をより確実に遊技者やホール員に伝えることができる。
【００５８】
［変形例１］
警告音を発生させて不正報知を行うブザー４４を配置する位置は様々な変形例が概念できる。図４は、変形例１として、画像表示装置３４の背面に設置された基板ケース５２の内部にブザー４４が配置された状態を示すための図である。
【００５９】
基板ケース５２は、画像表示装置３４に表示される図柄等を制御するための画像制御基板６０を収容するためのものである。基板ケース５２は、本体部５３、カバー部材（蓋部材）５４とで箱状形状を呈するように構成されており、その内部に画像制御基板６０を収容できるようになっている。
【００６０】
図５に示すように、本体部５３には取付基部５３ａが形成されており、この取付基部５３ａを画像表示装置３４にビス止めすることで、基板ケース５２を取り付けることができるようになっている。
【００６１】
カバー部材５４は、本体部５３に対してビス５８でビス固定され、画像制御基板６０を覆って基板ケース５４の内部（カバー部材５４に覆われた領域。）に収容された画像制御基板６０等への外部からのアクセスを困難にしている。カバー部材５４は、略透明の樹脂部材で構成され、その内部に収容された画像制御基板６０、ブザー４４を外部から視認できるようになっている。カバー部材５４のビス固定される部分は円筒形に凹んだ凹み部５４ａが形成されており、その凹み部５４ａの内周面には、後述する封止部材５６が凹み部から抜けるのを阻止するための抜け阻止部５４ｂとして開口が形成されている。なお、画像制御基板６０は、カバー部材５４と本体部５３とに挟み込まれて固定されている。
【００６２】
凹み部５４ａには封止部材５６がはめ込まれるようになっている。封止部材５６は、ビス５８への接触を防止して、カバー部材５４が本体部５３から取り外されるのを困難にするとともに、カバー部材５４が無理やり取り外された場合にその痕跡を残留させるためのものである。封止部材５６は、キャップ部５６ａ、円筒部５６ｂ、弾性係止部５６ｃを有して大略構成されている。
【００６３】
封止部材５６は、カバー部材５４の凹み部５４ａにはめ込まれて使用される。封止部材５６がはめ込まれた状態で、キャップ部５６ａはビス５８の上方を覆い、ビス５８への接触を防止する。円筒部５６ｂの外径は、凹み部の内径と略同じ大きさで形成され、その円筒部に対して、やや突出して弾性変形可能に弾性係止部５６ｃが形成されている。
【００６４】
弾性係止部５６ｃは、封止部材５６を凹み部５４ａにはめ込む際には、凹み部５４ａの内周面に押されて撓んだ状態となるので、はめ込みの邪魔にはならない。しかし、封止部材５６が完全にはめ込まれると、撓んだ状態から復帰して抜け阻止部５４ｂに入り込む。したがって、一旦封止部材５６を凹み部５４ａにはめ込むと、弾性係止部５６ｃが障害となり、抜き取り不可能となる。したがって、ビス固定を解除してカバー部材５４を取り外すためには、キャップ部５６ａを破壊しなければならなくなる。そのキャップ部５６ａの破壊跡が、カバー部材５４の取り外しの痕跡として残るのである。
【００６５】
したがって、カバー部材５４に形成された凹み部５４ａ、抜け阻止部５４ｂ及び封止部材５６のキャップ部５６ａ、弾性係止部５６ｃが協働して、カバー部材５４の取り外しを困難にする取り外し防止機構や、取り外しの痕跡を残す痕跡残留機構としての機能を発揮するのである。
【００６６】
変形例１において、ブザー４４は、画像制御基板６０上に配置されている。つまり、カバー部材５４に覆われた基板ケース５２内に配置されているため、ブザー４４を破壊することは非常に困難なものとなっている。したがって、スピーカユニット２１のスピーカ部を破壊してもブザー４４による不正報知が可能であるし、基板ケース５２内部に配置されたブザー４４を破壊することは困難であることから高い不正抑止効果も発揮できる。
【００６７】
［変形例２］
図６は、変形例２として、発射ハンドル４２を保持する保持部４３の内部にブザー４４が配置された状態を示すための横断面図である。
【００６８】
保持部４３は、中空構造となっており、その中空内部にブザー４４が配置されている。したがって、スピーカユニット２１のスピーカ部を破壊してもブザー４４による不正報知が可能であるし、中空内部に配置されたブザー４４を破壊することは困難であることから高い不正抑止効果も発揮できる。
【００６９】
なお、ブザー４４を発射ハンドル４２又は保持部４３の表面に配置することも可能である。警告音を発生するブザー４４の存在を遊技者にはっきりと認識させることでき、不正抑止効果を発揮させることができる。また、発射ハンドル４２及び保持部４３はパチンコ機２の前方に配置される部材であるため、その表面に配置されるブザー４４の位置も遊技者に近くなるため、ブザー４４から発せられる警告音をより確実に遊技者やホール員に伝えることができる。
【００７０】
以上、本発明の好ましい実施の形態を説明したが、本発明はこれらに限定されるものではなく、その要旨の範囲内で様々な変形や変更が可能である。
【図面の簡単な説明】
【００７１】
【図１】本発明の実施の形態に係るパチンコ機の外観斜視図である。
【図２】図１に示すパチンコ機が有する皿枠の横断面図である。
【図３】図１に示すパチンコ機が有するブザーの故障を検知するためのシステム構成を示す概略ブロック図である。
【図４】変形例１に係るブザーの配置を説明するための図であって、基板ケースの平面図である。
【図５】図４に示す基板ケースが有するカバー部材のビス固定部断面を拡大した部分拡大断面図である。
【図６】変形例２に係るブザーの配置を説明するための図であって、保持部の横断面図である。
【符号の説明】
【００７２】
２：パチンコ機（遊技機）
４：筐体枠
６：機枠
８：皿枠
１０：遊技盤（遊技装置体）
１０ａ：遊技盤面
１０ｂ：遊技領域
１４ａ：上皿
１４ｂ：下皿
１４ｃ：球排出ボタン
１８：前面ガラス（前面透明板）
２０：装飾枠
２１：スピーカユニット（第１の音声発生部）
２１ａ：スピーカグリル部
２１ｂ：スリット
２２：ヒンジ部（揺動支持部）
２４：レール飾り
２４ａ：内側面
２６：普通入賞口
２８：始動入賞口
３０：大入賞口
３２：アウト口
３４：画像表示装置
３４ａ：液晶表示部
３６：球（遊技媒体）
４２：発射ハンドル
４３：保持部
４４：ブザー（第２の音声発生部）
４６：送電部
４８：故障検知装置（故障報知部）
５０：電流検知装置（通電検知部）
５２：基板ケース
５３：本体部
５３ａ：取付基部
５４：カバー部材（蓋部材）
５４ａ：凹み部
５４ｂ：抜け阻止部
５６：封止部材
５６ａ：キャップ部
５６ｂ：円筒部
５６ｃ：弾性係止部
５８：ビス
６０：画像制御基板
【図１】
2009082190.tif 000003
【図２】
2009082190.tif 000004
【図３】
2009082190.tif 000005
【図４】
2009082190.tif 000006
【図５】
2009082190.tif 000007
【図６】
2009082190.tif 000008